(57)【要約】【課題】  下皿内の遊技球を球箱に排出する際、下皿内の遊技球を球箱の中央部に向けて排出できるようにすると共に、球箱内の遊技球落下位置を遊技者が直接目視できるようにする。【解決手段】  遊技球を溜める上皿６と、上皿６でオーバーフローした遊技球を溜める下皿７と、下皿７に溜った遊技球を球箱１４に排出するための球抜き孔７ｄと、球抜き孔７ｄを開閉する球抜き孔開閉機構１５とを備えるパチンコ遊技機１において、球抜き孔７ｄを、下皿７の前壁部７ｂに形成する。【選択図】        図３
2007050165.tif 000002
【特許請求の範囲】
【請求項１】
遊技球を溜める上皿と、上皿でオーバーフローした遊技球を溜める下皿と、下皿に溜った遊技球を球箱に排出するための球抜き孔と、球抜き孔を開閉する球抜き孔開閉機構とを備える弾球遊技機において、前記球抜き孔を、下皿の前壁部に形成したことを特徴とする弾球遊技機。
【請求項２】
前記下皿は、前壁部の前面に前低後高状の傾斜面を有することを特徴とする請求項１記載の弾球遊技機。
【請求項３】
前記傾斜面には、下皿の満杯を報知する満杯報知表示部が設けられることを特徴とする請求項２記載の弾球遊技機。
【請求項４】
前記球抜き孔は、下皿の前壁部から底部に亘って連続的に形成されることを特徴とする請求項１〜３のいずれかに記載の弾球遊技機。
【請求項５】
前記底部における球抜き孔の後端位置は、前壁部における球抜き孔の上端位置よりも前側にあることを特徴とする請求項４記載の弾球遊技機。
【発明の詳細な説明】
【技術分野】
【０００１】
本発明は、パチンコ遊技機などの弾球遊技機に関し、特に、上皿でオーバーフローした遊技球を溜める下皿に、開閉自在な球抜き孔を備える弾球遊技機に関する。
【背景技術】
【０００２】
一般に、パチンコ遊技機などの弾球遊技機には、遊技球を溜める上皿とは別に、上皿でオーバーフローした遊技球を溜めるための下皿が設けられている。下皿には、通常、開閉自在な球抜き孔が形成されており、この球抜き孔を開放すると、下皿に溜った遊技球を球箱（ドル箱）に排出することが可能になる。以下、従来例に係るパチンコ遊技機の球抜き状態について、図１０を参照して説明する。
【０００３】
図１０に示すように、下皿１００から遊技球を抜く場合は、下皿１００の下方に球箱１０１を置き、下皿１００の球抜き孔１０２を開放する。球抜き孔１０２を開放すると、下皿１００内の遊技球が球抜き孔１０２から落下し、球箱１０１内に山積み状に溜まる。しかしながら、従来のパチンコ遊技機では、下皿１００の底部に球抜き孔１０２を形成しているため、球抜き孔１０２から落下した遊技球が球箱１０１の奥側で山積み状態になり、球箱１０１から零れる惧れがあった（図１０の（Ａ）参照）。このような遊技球の零れは、球箱１０１内で山積み状態になった遊技球を遊技者が適宜均すことにより回避可能であるが、遊技者の視点では、球箱１０１内の遊技球落下位置が死角になるため、遊技者が山積み状態に気付かずに遊技球を零す可能性がある（図１０の（Ｂ）参照）。
【０００４】
そこで、球抜き孔の位置を左右方向及び前後方向に移動可能にした下皿が提案されている（例えば、特許文献２参照）。このような下皿によれば、球箱の中央部に遊技球を排出したり、球箱内の複数箇所に遊技球を分散状に排出することができるので、球箱から遊技球が零れる可能性を低下させることができる。
【特許文献１】特開２００１−３０００８２号公報
【特許文献２】特開２００３−６２２７５号公報
【発明の開示】
【発明が解決しようとする課題】
【０００５】
しかしながら、特許文献２に記載される下皿は、構造の複雑化、部品点数の増加、コストアップなどを招来するだけでなく、遊技者に球抜き孔の移動操作を要求し、球抜き時の操作を煩雑にする惧れがある。また、球箱内の遊技球落下位置は、依然として死角になるため、遊技者が山積み状態に気付かずに遊技球を零す可能性がある。
【課題を解決するための手段】
【０００６】
本発明は、上記の如き実情に鑑みこれらの課題を解決することを目的として創作されたものであって、遊技球を溜める上皿と、上皿でオーバーフローした遊技球を溜める下皿と、下皿に溜った遊技球を球箱に排出するための球抜き孔と、球抜き孔を開閉する球抜き孔開閉機構とを備える弾球遊技機において、前記球抜き孔を、下皿の前壁部に形成したことを特徴とする。このようにすると、下皿内の遊技球を球箱の中央部に向けて排出できるだけでなく、球箱内の遊技球落下位置を遊技者が直接目視することが可能になる。その結果、球箱内における遊技球の山積み状態に気付かずに、遊技球が零れる可能性を大幅に低下させることができる。
また、前記下皿は、前壁部の前面に前低後高状の傾斜面を有することを特徴とする。このようにすると、球抜き孔がより見やすくなるだけでなく、前壁部の前面を遊技者から見やすくし、何らかの表示面として利用することができる。
また、前記傾斜面には、下皿の満杯を報知する満杯報知表示部が設けられることを特徴とする。このようにすると、下皿部位で下皿の満杯が報知されるので、直感的に認識可能な優れた満杯報知を行うことが可能になる。
また、前記球抜き孔は、下皿の前壁部から底部に亘って連続的に形成されることを特徴とする。このようにすると、前壁部に球抜き孔を形成するものでありながら、球抜き孔の開口面積を十分に確保し、円滑かつ迅速な球抜きを行うことができる。
また、前記底部における球抜き孔の後端位置は、前壁部における球抜き孔の上端位置よりも前側にあることを特徴とする。このようにすると、底部における球抜き孔の後端位置が前壁部で隠れてしまうことがないので、球抜き孔から排出される遊技球を良好に目視することができる。
【発明の効果】
【０００７】
以上のように構成された本発明によれば、球抜き孔は、下皿の前壁部に形成されるので、下皿内の遊技球を球箱の中央部に向けて排出できるだけでなく、球箱内の遊技球落下位置を遊技者が直接目視することが可能になる。その結果、球箱内における遊技球の山積み状態に気付かずに、遊技球が零れる可能性を大幅に低下させることができる。
【発明を実施するための最良の形態】
【０００８】
次に、本発明の実施の形態について、図面に基づいて説明する。図１及び図２において、１はパチンコ遊技機であって、該パチンコ遊技機１は、パチンコ島に固定される外枠２に対して、開閉自在に取り付けられる。パチンコ遊技機１の側方隣接位置には、台間玉貸し機３が並設され、この台間玉貸し機３に、現金又はプリペイドカードを投入することにより、台間玉貸し機３又はパチンコ遊技機１から遊技球が貸し出され、パチンコ遊技が可能になる。
【０００９】
パチンコ遊技機１の正面は、遊技球が発射される遊技盤４と、その前方を覆う開閉自在なガラス枠５と、遊技球を溜める上皿６と、上皿６でオーバーフローした遊技球を溜める下皿７と、遊技球の発射操作を行う発射ハンドル８と、遊技球の貸出操作を行う貸出操作部９と、効果音を発生するスピーカ１０とを備えており、また、パチンコ遊技機１の背面は、払出用の遊技球を溜める遊技球タンク１１と、遊技球タンク１１内の遊技球を上皿６に払い出す賞球払出装置１２と、遊技球を発射する発射モータ１３と、各種の制御基板とを備えている。
【００１０】
図３〜図７に示すように、下皿７は、底部７ａと、底部７ａの前端部から立ち上がる前壁部７ｂと、底部７ａの左右両端部から立ち上がる左右の側壁部７ｃと、下皿７内の遊技球を球箱１４に排出するための球抜き孔７ｄと、球抜き孔７ｄを開閉するための球抜き孔開閉機構１５とを備えて構成され、パチンコ遊技機１の正面下部に前方突出状態で取付けられる。球抜き孔開閉機構１５の構造に制限はなく、例えば、球抜き孔７ｄを開閉するスライド式のシャッタ１５ａと、シャッタ１５ａに一体的に連結される球抜き操作レバー１５ｂと、シャッタ１５ａ又は球抜き操作レバー１５ｂを閉じ方向に付勢するバネ１５ｃとを用いて構成することができる。
【００１１】
本発明に係るパチンコ遊技機１では、下皿７の前壁部７ｂに球抜き孔７ｄが形成される。このようにすると、図８の（Ａ）に示すように、下皿７内の遊技球を球箱１４の中央部に向けて排出できるので、従来のように球箱１４の奥側に遊技球が山積み状態になることを回避できる。しかも、図８の（Ｂ）に示すように、球箱１４内の遊技球落下位置を遊技者が直接目視することが可能になるので、球箱１４内における遊技球の山積み状態に気付かずに、遊技球が零れる可能性を大幅に低下させることができる。また、本実施形態のように、下皿７における前壁部７ｂの前面に前低後高状の傾斜面７ｅを形成すると、球抜き孔７ｄ自体や、ここから排出される遊技球が一層見やすくなるので、下皿７の球抜き作業がさらに容易になる。
【００１２】
球抜き孔７ｄは、下皿７の前壁部７ｂのみに形成してもよいが、本実施形態の球抜き孔７ｄのように、前壁部７ｂから底部７ａに亘って連続的に形成することが好ましい。このようにすると、前壁部７ｂに球抜き孔７ｄを形成するものでありながら、球抜き孔７ｄの開口面積を十分に確保し、円滑かつ迅速な球抜きを行うことができる。
【００１３】
また、前壁部７ｂの前面に前低後高状の傾斜面７ｅを有する下皿７において、球抜き孔７ｄを前壁部７ｂから底部７ａに亘って連続的に形成する場合は、図７に示すように、底部７ａにおける球抜き孔７ｄの後端位置を、前壁部７ｂにおける球抜き孔７ｄの上端位置よりも前側とすることが好ましい。このようにすると、底部７ａにおける球抜き孔７ｄの後端位置が前壁部７ｂで隠れてしまうことがないので、球抜き孔７ｄから排出される遊技球を良好に目視することができる。
尚、下皿７の底面には、球抜き孔７ｄに向かって低くなる傾斜を設けることが好ましい。このようにすると、遊技球の円滑な排出が可能になるだけでなく、下皿７内にゴミや埃が溜まりにくくすることができる。
【００１４】
パチンコ遊技機１の正面下部には、上皿６でオーバーフローした遊技球を下皿７内に排出する球出口１６が形成されている。球出口１６の内部には、球出口１６内における遊技球の停滞にもとづいて下皿７の満杯状態を検知する満杯検知センサ１７が設けられており、その検知信号に応じて満杯報知を行う。本実施形態では、このような満杯報知を行うにあたり、図９の（Ａ）に示すように、球出口１６の下端位置を、下皿７の底面よりも所定寸法（例えば、２０ｍｍ）以上高い位置とする。このようにすると、球出口１６内における遊技球の詰りを回避しつつ、下皿７に多くの遊技球を溜めることができるだけでなく、図９の（Ｂ）に示すように、下皿７内が満杯でない状況で満杯報知が行われる不都合を回避できる。
【００１５】
下皿７の満杯を報知する方法に制限はなく、遊技者の聴覚や視覚を通じて行うことができる。本実施形態では、下皿７の前面に形成される傾斜面７ｅを利用して満杯報知表示部１８が設けられる。満杯報知表示部１８は、例えば、複数の発光ダイオードＬＥＤで構成され、その点灯又は点滅により下皿７の満杯を報知する。このようにすると、下皿部位で下皿７の満杯が報知されるので、直感的に認識可能な優れた満杯報知を行うことが可能になる。
【００１６】
叙述の如く構成された本実施形態によれば、遊技球を溜める上皿６と、上皿６でオーバーフローした遊技球を溜める下皿７と、下皿７に溜った遊技球を球箱１４に排出するための球抜き孔７ｄと、球抜き孔７ｄを開閉する球抜き孔開閉機構１５とを備えるパチンコ遊技機１において、球抜き孔７ｄを、下皿７の前壁部７ｂに形成したので、下皿７内の遊技球を球箱１４の中央部に向けて排出できるだけでなく、球箱１４内の遊技球落下位置を遊技者が直接目視することが可能になる。これにより、球箱１４内における遊技球の山積み状態に気付かずに、遊技球が零れる可能性を大幅に低下させることができる。
【００１７】
また、下皿７は、前壁部７ｂの前面に前低後高状の傾斜面７ｅを有するので、球抜き孔７ｄがより見やすくなる。しかも、傾斜面７ｅには、下皿の満杯を報知する満杯報知表示部１８が設けられるので、下皿部位で下皿７の満杯を報知し、下皿７の満杯を直感的に認識させることができる。
【００１８】
また、球抜き孔７ｄは、下皿７の前壁部７ｂから底部７ａに亘って連続的に形成されるので、前壁部７ｂに球抜き孔７ｄを形成するものでありながら、球抜き孔７ｄの開口面積を十分に確保し、円滑かつ迅速な球抜きを行うことができる。
【００１９】
また、底部７ａにおける球抜き孔７ｄの後端位置は、前壁部７ｂにおける球抜き孔７ｄの上端位置よりも前側にあるので、底部７ａにおける球抜き孔７ｄの後端位置が前壁部７ｂで隠れてしまうことがなく、その結果、球抜き孔７ｄから排出される遊技球を良好に目視することができる。
【図面の簡単な説明】
【００２０】
【図１】本発明の実施形態に係るパチンコ遊技機の正面図である。
【図２】本発明の実施形態に係るパチンコ遊技機の背面図である。
【図３】本発明の実施形態に係るパチンコ遊技機の下皿部分を示す斜視図である。
【図４】本発明の実施形態に係るパチンコ遊技機の下皿部分を示す平面図である。
【図５】本発明の実施形態に係るパチンコ遊技機の下皿部分を示す拡大正面図である。
【図６】本発明の実施形態に係るパチンコ遊技機の下皿部分を示す縦断面図である。
【図７】本発明の実施形態に係るパチンコ遊技機の下皿部分を示す縦断面図である。
【図８】（Ａ）及び（Ｂ）は本発明の実施形態に係るパチンコ遊技機の作用説明図である。
【図９】（Ａ）は本発明の実施形態に係るパチンコ遊技機の作用説明図、（Ｂ）は他例に係るパチンコ遊技機の作用説明図である。
【図１０】（Ａ）及び（Ｂ）は従来例に係るパチンコ遊技機の作用説明図である。
【符号の説明】
【００２１】
１    パチンコ遊技機
６    上皿
７    下皿
７ａ  底部
７ｂ  前壁部
７ｃ  側壁部
７ｄ  球抜き孔
７ｅ  傾斜面
１４  球箱
１５  球抜き孔開閉機構
１６  球出口
１７  満杯検知センサ
１８  満杯報知表示部
【図１】
2007050165.tif 000003
【図２】
2007050165.tif 000004
【図３】
2007050165.tif 000005
【図４】
2007050165.tif 000006
【図５】
2007050165.tif 000007
【図６】
2007050165.tif 000008
【図７】
2007050165.tif 000009
【図８】
2007050165.tif 000010
【図９】
2007050165.tif 000011
【図１０】
2007050165.tif 000012